(57)【特許請求の範囲】
【請求項１】
底面と乗員がその上に位置することが可能な上面とを備えた台と、
前記台の底面に連結し、前記上面上の乗員の位置から離れた方向に推力を供給するように方向付けられた少なくとも一つのノズルを含み、加圧流体を供給されるように適合した推力ユニットと、
前記加圧流体を供給する供給路を推進装置に連結するように設計された、加圧流体を収集し前記ノズルに分配する手段と、を備える推進装置であって、
前記加圧流体を収集分配する手段は、前記供給路を連結可能な基部を備え、前記加圧流体を収集分配する手段は、前記基部と、連結した供給路とが前記台に対して動くことができるように前記台に取り付けられることを特徴とする推進装置。
【請求項２】
前記基部は前記供給路の軸の周りの前記供給路の自由回転を可能にする前記供給路に対する連結器を含むことを特徴とする、請求項１に記載の装置。
【請求項３】
前記収集分配手段はさらにアームを備え、前記アームは、前記基部から収集された加圧流体を前記ノズルに供給するように、また前記アームの軸にほぼ平行な軸の周りの前記基部の自由回転を可能とするように前記ノズルに連結したことを特徴とする、請求項１に記載の装置。
【請求項４】
前記乗員を前記台の上面の上に確実に保持するための手段をさらに備える、請求項１に記載の推進装置。
【請求項５】
前記加圧流体を供給する加圧ステーションの流体加圧力を調節するための手段をさらに備える、請求項１に記載の推進装置。
【請求項６】
推力を供給するために使用される加圧流体以外の加圧流体である第二の加圧流体を噴霧するための、前記台または前記乗員と連結した手段をさらに備える、請求項１に記載の推進装置。
【請求項７】
前記台と連結し、衝撃、または前記ノズルおよび／または前記収集分配手段と、前記装置の外部にある非流体との直接的な接触を防ぐように配置された突出部をさらに備える、請求項１に記載の推進装置。
【請求項８】
リモート加圧ステーションと連結した請求項１に記載の推進装置を備える推進システム。
【請求項９】
前記推進システムは供給路を備え、前記供給路は、前記リモート加圧ステーションが前記供給路を通して前記推進装置に加圧流体を供給できるように、一方の端で前記推進装置に連結し、もう一方の端で前記リモート加圧ステーションに連結することを特徴とする、請求項８に記載の推進システム。
【請求項１０】
前記リモート加圧ステーションは遠隔操作による加圧力を制御する手段を備え、
前記推進装置はさらに前記推進装置を操作する手段からの命令出力を、前記リモート加圧ステーションの前記加圧力を制御する手段へと伝達する通信手段を備えることを特徴とする、請求項８に記載の推進システム。
【請求項１１】
前記リモート加圧ステーションは、船体および、吸入口から吸い込んだ流体を加圧するためにタービンを使用し、このように加圧された前記流体を流体排出口から排出する推進手段を備える原動機付き水上機を備えることを特徴とする、請求項８に記載の推進システム。
【請求項１２】
前記推力ユニットは、前記台の底面に連結した複数のノズルを含み、前記複数のノズルはそれぞれ前記上面上の乗員の位置から離れた方向に推力を供給するように方向付けられることを特徴とする、請求項１に記載の推進装置。
【請求項１３】
前記推力ユニットの前記ノズルは前記台に対して固定された位置にあり、さらに乗員が手動で方向付けて前記推進装置を巧みに操縦できるように適合した複数の可動ノズルを含むことを特徴とする、請求項１に記載の推進装置。
【請求項１４】
底面と乗員がその上に位置することが可能な上面とを備えた台と、
前記台の底面に連結し、前記上面上の乗員の位置から離れた方向に推力を供給するように方向付けられた少なくとも一つのノズルを含み、加圧流体を供給されるように適合した推力ユニットと、
前記ノズルと連結した少なくとも一つのアーム、および前記加圧流体を供給する供給路を推進装置に連結するように設計された入力端部と、前記台の上面に平行な軸の周りの基部の回転を可能とするように前記アームに連結された出力端部とを備える基部を含む加圧流体収集分配ユニットと、を備える推進装置。
【請求項１５】
前記収集分配ユニットは少なくとも二つのアームを含み、前記基部はそれぞれに前記二つのアームに連結する二つの出力端部をもつＹ字型の形状であることを特徴とする、請求項１４に記載の推進装置。
【請求項１６】
前記推力ユニットは二つのノズルを含み、前記二つのアームはそれぞれに前記二つのノズルに連結することを特徴とする、請求項１５に記載の推進装置。
【請求項１７】
前記基部は前記供給路の軸にほぼ平行な軸の周りの前記供給路の自由回転を可能とするように設計されることを特徴とする、請求項１４に記載の推進装置。
【請求項１８】
リモート加圧ステーションに連結した請求項１４に記載の推進装置を備える推進システム。
【請求項１９】
前記推進システムは供給路を備え、前記供給路は、前記リモート加圧ステーションが前記供給路を通して前記推進装置に加圧流体を供給できるように、一方の端で前記推進装置に連結し、もう一方の端で前記リモート加圧ステーションに連結することを特徴とする、請求項１８に記載の推進システム。
【発明の詳細な説明】
【技術分野】
【０００１】
本発明は、乗員が敏捷性および体格によって、空中または流体中で非常に自由自在に動くことを可能にするための乗員推進装置及び乗員推進システムに関する。
【０００２】
本発明はまた、可能な限り多くの人が非常に簡単に利用することができるシステムを提供する。
【背景技術】
【０００３】
空間を動くことは常に人類の主要な夢の１つである。この夢をかなえるために、それぞれが以前よりも洗練された多くの機械が製造され、より成功を収めたものも、あまり成功しなかったものもある。
【０００４】
したがって、水面のように多様な環境の中、または時には厳しい環境に接する中で簡単に動くために、１９６０年代の米国特許第３２４３１４４号または米国特許第３３８１９１７号に記載されたような推進装置は、乗員を位置付けることができるハーネス（安全ベルト）または座席の形状の本体を備えている。そのような本体は、具体的には加圧された流体を噴出して推力を生み出す一対のノズルの形状の推力ユニットと連結している。乗員の飛行を簡単にし、それに伴う身体的努力を軽減するために、ノズルは本体と乗員の集合体の重心よりも上部に配置され、具体的には乗員の肩の高さに配置されている。このユニットはまた、引火性の液体または気体が供給され、乗員の背中に配置されている流体加圧ステーションを含む。このステーションは乗員を離陸させるだけの十分な推力を供給し、乗員を一種の人間ロケットにすることができる。低い作動領域とこのような装置の危険性とが相まって、比較的低い信頼性につながっている。
【０００５】
より最近では、米国特許第７２５８３０１号および米国特許出願公開第２００８／００１４８１１号に記載されたような装置は、上記教訓から発想を得てシステムの危険性を低減するような適応をしている。この場合の加圧ステーションは、離れていて、通常専用のものである。さらには、加圧された流体はステーションにより加圧された水であり、この点において特に、米国特許第３２７７８５８号に示されているように、深海潜水者の身体的努力を低減するために加圧した水を利用しようとする経験から発想を得ている。したがって、米国特許第７２５８３０１号と米国特許出願公開第２００８／００１４８１１号は、消防ホースのような供給路によってリモート加圧ステーションから、加圧された水が輸送されるように適応した、先行モデルに似た空中推進装置を提案している。ノズルの配置は、装置の軌道を決定するためのノズルの方向づけを可能にする手段と共に、乗員が簡単に運転し続けられるように意図的に管理されている。しかし、特に離陸の場面では、乗員は硬い土台に足を乗せた状態で、最初の立位態勢を求められる。乗員の動くための身体的努力は、最も簡単に表現すると、水面上または水面下での動きにおける自由度および多様性に悪影響を与える。さらには、米国特許第７２５８３０１号によるような、「装置＋ステーション」システムは、蝶番式ノズルを備える装置の設計および専用加圧ステーションの設計のために、高価なものである。空間を動くことができるということには、固有の娯楽的側面がある。しかし、装置の重心よりも上部に配置されたノズルによって、乗員は仮想のクレーンフックで肩から吊るされている感覚を覚え、落下、即興または曲芸的な型の姿勢といった多くの興奮を奪われる。さらには、向きおよび動きの多様性が制限される。例えば、公知の装置では「カニのように」横方向に動くこと、または、水面上での直線軌道から、水面下での複数の動きが続く潜水態勢へと瞬時に移ることは容易ではない。
【発明の概要】
【発明が解決しようとする課題】
【０００６】
本発明は公知の解決法がもたらす全ての不都合点への答えを提供する。本発明は主に先行技術に従わないことを意味する設計の装置を提供することからなる。このような装置は主に、一人以上が位置することのできるほぼ平面の台を備える。離陸および移動は少なくとも３つのノズルの一組によって供給される推力によって生み出され、そのうちの２つは固定されてなく乗員の一人が持つことを意図されていて、全てのノズルは装置と乗員の集合体の重心よりも下部に位置するように配置される。したがって、自らの体格と敏捷性によって、この革新的な装置の乗員は、非常に自由にかつ類のない娯楽的側面をもって、装置の推力をコントロールし、動きおよび曲芸を行うことができる。
【０００７】
このような興奮を多くの利用者に提供するために、本発明は公知の原動機付き水上機（ＭＷＶ）をリモート加圧ステーションとして使用する可能性を提供する。本発明は専用の加圧ステーションの設計を必要としない。
【０００８】
本発明の多くの利点の中で、本発明により以下のことが可能になると言える。
【０００９】
・利用者が、使用を学んだ後に簡単に使用できるようになり、多くの応用範囲を提供する、娯楽性の高い装置を利用できるようにする。
【００１０】
・推進装置の製造に必要な部品を、最も簡単に表現すると、最小化する。
【００１１】
・原動機付き水上機または陸上車両を利用し、装置の推力に必要な加圧流体（加圧された流体）を供給する。
【００１２】
・完全なまたは部分的な水中状態、もしくは乾いた地面、などから離陸もしくは飛び込む能力を提供する。
【００１３】
・娯楽的な応用（競技、曲芸など）、および民間または軍事保障的な応用を提供する。
【課題を解決するための手段】
【００１４】
この目的のために、本発明は乗員を受け止めて、加圧流体を供給された推力ユニットと連結するように設計された本体を備える推進装置を供給する。乗員の体格と敏捷性を利用するために、本体は、底面と乗員がその上に位置することが可能な上面とを備えたほぼ平面の台を備える。本発明はまた、以下からなる推力ユニットを提供する。
【００１５】
・台の底面に連結し、前記底面とほぼ垂直な軸に沿って配置された少なくとも１つの主要ノズル
・装置の標準使用時、装置と乗員の集合体の重心より下部で乗員が保持するように配置された二つの固定されていない補助ノズル
本発明による装置の取り扱いを改善するために、少なくとも１つの主要ノズルが補助ノズルを犠牲にして推力の大部分を供給するように、ノズルを有利に設計することができる。
【００１６】
装置に加圧流体を供給するために、一実施形態において、本発明による推進装置は加圧流体を収集してノズルに分配する、流体供給路を装置に連結するように配置された手段を備えていてもよい。
【００１７】
前記実施形態によれば、装置の動きによる前記供給路の制約を避けるために、前記収集分配手段は、前記供給路の軸にほぼ平行な軸の周りの供給路の自由回転を可能にするように前記供給路が連結された基部を備えてもよい。
【００１８】
同様に、前記収集分配手段は、少なくとも一つの主要ノズルの一つと連結し、基部から収集された加圧流体を主要ノズルに供給するように配置されたアームを備え、前記アームは自らの軸にほぼ平行な軸の周りを自由回転できる。
【００１９】
本発明による装置の台上で乗員がよりバランスを取りやすくするために、台は乗員が台の上面に保持されることを確実にする手段を備えていてもよい。
【００２０】
同様に、乗員による補助ノズルのコントロールを補助するために、本発明は乗員の前腕に補助ノズルを固定する手段を備えることのできる装置を提供する。
【００２１】
乗員が推進装置をコントロールしやすくするために、また、一定の軌道変更を行うために、本発明による推進装置は加圧流体を供給する加圧ステーションの流体加圧力を調節する手段を備えていてもよい。
【００２２】
競技または噴霧などの娯楽的な応用、または例えば消火活動関連の応用を提供するために、装置はまた、第二の加圧流体を噴霧するための、台もしくは乗員と連結した手段を備えていてもよい。
【００２３】
装置が地面もしくはその他の堅い環境に接触する時に、台の底面下に配置された装置の部品を保護するために、あるいは装置の浮力に影響をおよぼすことができるように、装置はまた、台と連結し、衝撃または台の底面と前記底面に近接する非流体環境との直接的な接触を防ぐよう配置された突出部を備えていてもよい。
【００２４】
推進装置の乗員に、より自由度の高いサービスを提供するために、装置は加圧流体を供給する加圧ステーションの流体加圧力を調節する手段を備えていてもよい。
【００２５】
第二の主題によれば、本発明は、リモート加圧ステーションと連結した本発明による推進装置を備える推進システムを提供する。
【００２６】
本発明によるシステムは、前記ステーションが供給路を通して前期加圧流体を前期装置に供給するための供給路を備えていてもよい。
【００２７】
推進装置の実施形態によると、推進装置が流体加圧力をコントロールする手段を備えている場合、本発明によるシステムは装置を操作する手段からの命令出力を、上述のように適応した加圧ステーションの加圧力を制御する手段へと伝達する通信手段を備えることができる。
【００２８】
以下の詳細な説明を読み、図面を参照することによってその他の特徴および利点がより明らかになるだろう。
【図面の簡単な説明】
【００２９】
【図１】本発明による推進装置である。
【図２】本発明による推進装置の台の代替実施形態である。
【図３】本発明による推進装置への加圧流体供給路のモジュール式実施形態である。
【発明を実施するための形態】
【００３０】
図１は本発明による推進装置１０の実施形態を表す。前記装置はほぼ平面の台１１の形状の本体を備える。前記台は乗員１がその上に位置することが可能な上面１１ａを備える。台のサイズと装置のパワーによっては、本発明は、複数の乗員が任意に台１１の上面１１ａの上に同時に位置することを可能にする。前記台は有利に、一人もしくは複数の乗員の重量に耐え、過度なたわみを防ぐだけの十分な堅さを単体もしくは組み合わせで有する一つもしくは複数の素材から作られる。前記台は、装置の潜水時の浮力を決定するために一つの素材から作られることがより好ましいだろう。本実施形態によると、台は浮力を高めるために、空気でみたされた、もしくは真空の一つ以上の空洞を備えていてもよい。代替として、真空または空洞ではなく、流体表面下でより動きやすくするためにバラストを備えてもよい。そのような台はそれぞれが連結もしくは分離した一つ以上の部品を備えることができる。
【００３１】
図１に記載された推進装置は台１１に連結した推力ユニットを備える。
【００３２】
本発明の目的のために、本明細書では流体の流速を速めるための形になっているダクト部品を定義するために「ノズル」という用語を使用している。「ジェットパイプ（噴射管）」という用語もまたそのような部品を記述するために使用できるだろう。この流体の加速は主に、本部品の吸入口と排出口の横断面の差異によるものであり、排出口の横断面は吸入口の横断面よりも小さい。
【００３３】
図１によると、このようなユニットは台１１の底面１１ｂに取り付けられた一対の主要ノズル１２ａと１２ｂからなる。代替として底面１１ｂのほぼ中心に取り付けられた一つの主要ノズルのほうが、一対の主要ノズル１２ａと１２ｂよりも好ましいだろう。それによって、乗員が前記装置を使用する際の娯楽的性質を向上させることができる。一般的に、本発明は、台１１の底面１１ｂの下に配置される主要ノズルの数を制限しない。したがって推力ユニットは前記底面に連結した少なくとも一つの主要ノズルを備える。
【００３４】
少なくとも一つの主要ノズル１２ａと１２ｂは、全く自由度がなく、任意の手段で台に取り付けられている。装置の離陸を補助するために、有利にはどの主要ノズルの方向も、主要ノズルが加圧流体を台１１の底面１１ｂの近くから遠くへ吐き出すように、好ましくは台の底面にほぼ垂直な軸Ａに従う。本装置の操作性を高めるために本発明による装置の推力ユニットはまた、二つの補助ノズル１３ａ、１３ｂを備えることができる。これらのノズルは固定されず、各々が乗員１の前腕もしくは手によって保持されるよう意図されている。「台、推力ユニットおよび乗員」の集合体は、図１に示すように垂直方向にまっすぐになった場合、重心ＣＧを有する。乗員の身体的努力を最小限にするために、また動きを簡単にするために推力ユニットのノズルが重心ＣＧより上部に必ず位置する先行技術とは異なり、本発明による装置１０の推力ユニットの主要および補助ノズルは重心ＣＧよりも下部に位置する。そうした装置１０の乗員には、補助ノズル１３ａ、１３ｂは自分の手と腕を使って、一つまたは複数の主要ノズル１２ａ、１２ｂは自分の下肢、骨盤および胴を使って台を傾けて、推進装置を操縦するために位置決めと方向決めをするという作業がある。したがって、乗員の敏捷性と体力によって、最大限の興奮がもたらされ、意図的にまたは偶然に、移動、飛行および曲芸的な動きをすることが可能になる。
【００３５】
十分な推力を供給し、離陸と移動を可能にするために装置１０はまた、加圧流体（例えば水）を収集し、主要および補助ノズルに分配するための手段を備えている。そのような流体は好ましくはリモート加圧ステーション（図１には示されていない）から可とう性供給路２によって運ばれる。そのような供給路は消防ホース、もしくは加圧流体によってもたらされる圧力に耐えられるだけの強度があるその他のどのような素材からも製造することができる。好ましくは、また有利に直径約１１０ミリメートルの供給路を用いてもよい。極度に小さなまたは大きな直径では、加圧ステーションの加圧能力に関し、推力を大幅に損なう結果となるだろう。収集部１４は、例えば供給路２を受け入れるように適合した溝によって供給路２の先端部２ａが連結する基部１４ｃを備えていてもよい。基部１４ｃの直径は、供給路２の先端部２ａの直径に適合しなければならない。図１によれば、基部１４ｃから加圧流体を収集しアーム１４ａと１４ｂを通して主要ノズル１２ａと１２ｂに加圧流体を分配するために、収集部１４はほぼＴ型をしてもよい。収集部１４は主要ノズルにしっかり連結していてもよく、または主要ノズルを台１１の底面１１ｂにほぼ垂直な軸Ａに沿って方向づけるために任意の連結エルボ１５を経由して主要ノズルに連結していてもよい。代替として、前記アームは、アーム１４ａと１４ｂのナックルジョイントによって、任意のエルボ１５を経由して主要ノズルに連結していてもよい。そのような設計によって、収集部１４のアーム１４ａと１４ｂにほぼ平行な軸Ｆに沿った自由回転ｒ１が可能になる。したがって、前記収集部は、過度な傾斜がかかり、台１１の底面１１ｂによって止まる場合を除いて、軸Ｆの周りでほぼ自由な回転ｒ１を描くことができる。前記収集部が供給路２に連結した後、台１１の底面に関する軸Ｆの周りの前記収集部の相対的回転ｒ１は、台１１の回転をもたらさない。同様に、本発明によって、供給路２の先端部２ａは、有利に収集部１４と、基部１４ｃでナックルジョイントによって連結することができ、供給路２にほぼ平行な軸Ｃの周りの自由回転ｒ２が可能となる。したがって本装置は供給路２に捻じれまたは過度な負担を引き起こすことなく軸Ｃの周りに自在に回転することができる。図１に関する好ましい実施例として記載された、基部１４ｃと二つの対蹠的なアーム１４ａと１４ｂを備える収集部１４のＴ型構造は、例えば一つの主要ノズルのみを備える装置１０の場合においては、もちろん異なっていてもよい。この場合の収集部１４は、供給路２からの加圧流体を基部１４ｃから収集しアーム１４ａを通して、収集部のアームおよび主要ノズルと連結する任意の連結エルボ１５によって、主要ノズルに向かって供給するための“Γ”のようなエルボ形状だろう。有利には、収集部１４の基部１４ｃおよび単一アーム１４ａにおけるナックルジョイントが上述の理由により有利に好ましい。
【００３６】
加圧流体を補助ノズル１３ａと１３ｂに分配するために、本発明は、一例として図１に示すように、有利に可とう性パイプの形状である補助路１８ａおよび１８ｂが前記加圧流体を収集部１４から補助ノズルへと供給できるようにする。乗員１の邪魔にならないように補助ノズルは支持手段１９（ストラップ、ハーネスなど）を用いて背中に沿って肩まで導かれてもよい。本発明は、乗員が前腕に補助ノズルを固定する手段を使用する可能性を与える装置を提供する。したがって、図１に関し、前腕および補助ノズルおよび／または補助ノズルを供給する補助路と連結する本体を備える集合部品２０ａおよび２０ｂは、ストラップまたはその他あらゆる形状の取り付け具によって乗員１の各前腕に取り付けられることができる。乗員が補助ノズルを保持することはより簡単である。
【００３７】
本発明はさらには乗員を前期台の上面１１ａの上に保持するための手段を備えることのできる台１１を提供する。したがって、本発明による装置の台上の乗員の好ましい体勢に従って、前記保持手段は図１に示すように、例えばウェイクボードの練習に用いるようなビンディングのついた靴またはブーツからなっていてもよい。両脚を曲げていたり、膝をついていたり、座っていたりする体勢の乗員を支えることが望ましい場合には他のタイプの保持手段が好ましいだろう。
【００３８】
離陸、または広く言えば本発明による装置の使用を補助するために、一つもしくは複数の主要ノズルおよび補助ノズルは、上述のように形成された推力ユニットが補助ノズルを犠牲にして一つもしくは複数の主要ノズルからその推力の大部分を供給するように配置されてもよい。本目的のためにノズルの構造（ノズルの吸入口と排出口それぞれの横断面）は、好ましくは推力のおよそ８０％を、一つもしくは複数の主要ノズルから供給するように選択されてもよい。
【００３９】
したがって、例えば主要ノズルは吸入口の横断面が直径約５０ｍｍ、排出口の横断面が直径約４０ｍｍで製造され、補助ノズルは吸入口の横断面が直径約５０ｍｍ、排出口の横断面が直径約２５ｍｍで製造されてもよい。前記好ましい実施形態によると、補助路１８ａと１８ｂの横断面は直径約４０ｍｍでもよい。同様に、収集部１４の横断面は基部の周辺では直径１２０ｍｍで、アームの部分では直径８０ｍｍであってもよい。主要ノズルと収集部のアームとを連結する任意の連結エルボ１５の横断面は有利にアームおよびノズルの吸入口の横断面それぞれと適合してもよい。主要ノズルと補助ノズル間の推力の分配に適合するために、その他あらゆる推力ユニットの構造が選択されてもよい。
【００４０】
図２は本発明による推進装置に対する台１１の好ましい実施形態を示す。このようなほぼ平面の台１１は、その上面１１ａに、点線で表されたそれぞれが乗員の足を受け止める２つのスペースを備えていてもよい。そのような台１１はその底面１１ｂが、台１１の底面１１ｂの下部に配置された本装置の部品（図２には示されていない）、網羅的でないが、一つもしくは複数の主要ノズルや加圧流体の収集分配手段、を保護するために同様に配置された突出部１７と連結するように配置されている。したがってそのような突出部１７は支点を形成し前記部品に対する保護ケージを構成する。具体的には、乾いた地面からの離陸もしくは着陸時、または浅瀬への着水時など、いかなる予期しない衝撃または前記部品とそれに近接する非流体環境との直接的な接触をも防ぐことができる。突出部１７の製造に用いる１つまたは複数の素材は、求められる衝撃保護レベル、離陸時、着陸時、あるいは着水時に台上の１人または複数の乗員によってもたらされる重量への耐久性によって決められてもよい。突出部１７はまた、その構造および形状によって本装置の求められる浮力と相互作用してもよい。
【００４１】
本発明による推進装置の乗員は従来に類を見ない数の動き（空中で、水媒体の表面下などにおける）を行うことができる。加圧流体が本装置に供給されるとき、乗員が体の後方に腕を伸ばし、背中をアーチ状に曲げた状態で補助ノズルを保持すると離陸が可能となると言えるかもしれない。例えば、潜水は乗員が頭を前方に向けて体を曲げる事によって操作できるだろう。
【００４２】
乗員が簡単に操作でき、動きの幅を増やすことができるために、本発明は加圧ステーションの力をコントロールする手段もまた備えた推進装置を提供する。したがって、前記手段から与えられ、適合した固定もしくは無線通信手段を通して命令出力を受信した場合、前記ステーションは推進装置へと供給する流体の加圧力を調節することができる。したがって例えば乗員は、加圧ステーションに連結した供給路の中を流れる流体の圧力を調整することによって離陸をコントロールすること、または動きを微調整することまでもできる。
【００４３】
さらに、本発明による推進装置の応用または使用によっては、推進装置はまた、装置を動かすために用いられた以外の加圧流体、または装置から得られた以外の加圧流体を噴霧するための手段１５（例えばノズルの形状で）を備えていてもよい。この任意の手段は有利に台１１あるいは代替的には乗員と（肩、腰などで）連結する。ここでの目的は、例えば消防などの民間保障での応用、または、さらに第三者への噴霧や、第２の流体の噴射が非固体の槍となる、対戦相手を不安定にさせる機能は保持しながら負傷の危険性を防ぐことのできる新しい競技のような水上ゲームへの応用を提供することである。
【００４４】
例えば一例として図１および／または２に関して記載された装置１０のような本発明による推進装置は、いかなるリモート流体加圧ステーションからでも、推進装置の操作に十分な圧力のある流体を供給することができるようになり次第、供給を受けることができる。本発明による推進装置、リモート加圧ステーションおよび、加圧流体を運ぶための本装置およびステーションに連結した供給路を備える推進システム全体の費用増加リスクを負担すれば、加圧流体ステーションを前記使用専用にすることもできる。
【００４５】
そのような費用を軽減するために、本発明はまた、推進装置の加圧流体を供給するほかに主要な本来の機能をもつ装置となることができるリモート加圧ステーションを提供する。一例として、本発明は、十分な流体加圧力があればリモート加圧ステーションとして使用される陸上または海上消防車を提供する。したがって、例えば、ザパタ  レーシング社製のＲＵＮＡＢＯＵＴ  ＭＺＲ  ２０１１モデルのような原動機付き水上機（ＭＷＶ）の自然な流体加圧力を利用することが可能となる。
【００４６】
使用される加圧ステーションを問わず、本発明は遠隔操作による加圧力を制御する手段を備えることのできる加圧ステーションを提供する。したがって、本発明による推進装置の任意のリモート加圧ステーションの加圧力を制御する手段は、上述のように適合したステーションの加圧力を調節する手段と相互作用するように作られてもよい。推進装置が出力する操作信号を運び、加圧ステーションまで届けるための固定もしくは無線通信手段を使用して、本装置の乗員はステーションの加圧力を遠隔操作し、推進装置を使用して行う動きを調整することができる。
【００４７】
図３に示されたように、推進装置および、例えばＭＷＶのようなリモート加圧ステーションのそれぞれに連結されるよう意図された供給路２はモジュール式であってもよい。前記供給路は、連結器２ｉｂあるいは自由端部２ｉａによって相互連結することのできる複数の部品２ｉを備えていてもよい。したがって、供給路２の長さはその使用目的によって変化してもよい。必要に応じて第一供給路部品２ｉ１が既に連結した推進装置を、加圧流体を供給するための供給路の第一の部分２ｉ２を備えたリモート加圧ステーションに連結することもまた可能である。そうすることで、本発明による推進装置の部品の梱包および運搬がより簡単になる。
【００４８】
本発明による推進装置によって数多くの娯楽的または民間および／または軍事的な応用が可能になる。例えば、ＭＷＶの運転手が必要に応じて本装置の乗員となることができるために推進装置と供給路を運ぶＭＷＶの提供が可能となる。
【００４９】
本発明は言及された使用例に限定されるものではない。
【００５０】
娯楽性またはこのようなシステムの操作環境をさらに高めるための、照明、ナビゲーション手段等の付属品もまた提供されてもよい。
【図１】
0005894281.tif 000002
【図２】
0005894281.tif 000003
【図３】
0005894281.tif 000004